(57)【要約】【課題】  グループ放送を行うためのグループアドレスの設定を端末毎に短時間で行うことができる告知放送システムを提供する。【解決手段】  告知放送の伝送機能を備えたセンタ装置３と、センタ装置３からの告知放送を受信する複数の告知放送受信機１６、１６とを接続してなり、センタ装置３は告知放送受信機１６の個別アドレスとグループのアドレスとを対応させて記憶したグループ情報記憶部４０と、グループ情報記憶部４０に記憶されている個別アドレス及びグループのアドレスを対応させたグループ設定データを生成するセンタ制御部４とを有し、センタ制御部４はグループ情報記憶部４０に記憶されている個別アドレス及びグループのアドレスを任意の範囲に渡って選択する選択手段を備える。【選択図】  図１
2006319688.tif 000002
【特許請求の範囲】
【請求項１】
告知放送の伝送機能を備えたセンタ装置と、該センタ装置からの告知放送を受信しそれぞれ固有の個別アドレスを付与された複数の告知放送受信機とを接続して構成した告知放送システムにおいて、
上記センタ装置は上記告知放送受信機の個別アドレスと当該告知放送受信機が属するグループのアドレスとを対応させて記憶したグループ情報記憶部と、該グループ情報記憶部に記憶されている個別アドレス及びグループのアドレスを対応させたグループ設定データを生成するセンタ制御部と、該センタ制御部で生成されたグループ設定データ及び上記告知放送を上記告知放送受信機に送信する告知放送送信部とを有し、上記センタ制御部は上記グループ情報記憶部に記憶されている個別アドレス及びグループのアドレスを任意の範囲に渡って選択する選択手段を備え、
上記告知放送受信機は上記グループ設定データ及び告知放送を受信する受信部と、上記グループのアドレスを記憶するグループアドレス記憶部と、上記受信部で受信したグループ設定データに基づいてグループのアドレスを上記グループアドレス記憶部に記憶させる受信機制御部とを有してなることを特徴とする告知放送システム。
【請求項２】
上記センタ制御部は上記選択手段で選択された範囲が複数ある場合、上記グループ設定データを複数生成すると共に、生成した各グループ設定データを上記告知放送の送信終了時から次の告知放送の送信開始時まで上記告知放送送信部から順次送信することを特徴とする請求項１記載の告知放送システム。
【請求項３】
上記センタ制御部は計時設定可能なタイマ回路を有し、該タイマ回路により設定された時間の経過時に上記グループ設定データを上記告知放送送信部から送信することを特徴とする請求項１または２記載の告知放送システム。
【請求項４】
上記センタ装置は上記告知放送送信部から送信されたグループ設定データに含まれた個別アドレスの個数を表示する表示手段を有してなることを特徴とする請求項１〜３のいずれか１項に記載の告知放送システム。
【発明の詳細な説明】
【技術分野】
【０００１】
本発明は、センタから端末に対して各種の告知放送を行う告知放送システムに関し、特にグループ設定をセンタ側から行うことができる告知放送システムに関する。
【背景技術】
【０００２】
従来、集合住宅や戸建て住宅で用いられる告知放送システムは、告知放送の伝送機能を有するセンタ装置と、端末側である各集合住宅に設けられる告知放送受信機とを例えばＣＡＴＶ線路を利用して接続して構成されていた。そして、センタ側から端末側に向けて各種の告知放送を行うようにしていた。告知放送には天災や火災等の非常時の避難や防災についての緊急性を有する緊急放送や、連絡や催し物の案内等に関するものであって緊急性を要しない一般告知放送、更には学校別・サークル別の連絡などグループを選別して告知放送を行うグループ告知放送等の種類がある。このような告知放送システムとしては、例えば特許文献１に記載されているものがある。
【特許文献１】特開平９−８７５３号公報
【０００３】
グループ放送を行う場合には、告知放送に対象端末が指定されたグループアドレスを設定して送信する。そして、各告知放送受信機は受信した告知放送に設定されたグループが自端末の属するグループか否か判断し、自端末の属するグループである場合に告知放送を行う。
【発明の開示】
【発明が解決しようとする課題】
【０００４】
しかしながら、従来の告知放送システムには以下に述べる問題点を有している。グループ放送を行うには予め告知放送受信機にグループアドレスを設定しておく必要がある。センタ装置には、個別アドレスとグループアドレスが対応して記憶されており、グループアドレスの設定の際には、センタ装置から告知放送受信機に対し個別アドレスとグループアドレスが対応したデータを送信する。初期設定時には全ての告知放送受信機についてグループアドレスの設定を行う必要があるが、例えば特定の告知放送受信機だけデータを受け取ることができなかった場合や、データが届かなかった恐れがある場合には、特定の告知放送受信機にだけグループアドレスの設定を行えばよい。しかし従来はこの場合にも全てのデータを送信することになるため、グループ設定に時間がかかり効率が悪い。
【０００５】
本発明は上記課題を鑑みてなされたものであり、グループ放送を行うためのグループアドレスの設定を告知放送受信機毎に短時間で行うことができる告知放送システムを提供することを目的とする。
【課題を解決するための手段】
【０００６】
上記課題を解決するため、本発明に係る告知放送システムは、告知放送の伝送機能を備えたセンタ装置と、該センタ装置からの告知放送を受信しそれぞれ固有の個別アドレスを付与された複数の告知放送受信機とを接続して構成した告知放送システムにおいて、
上記センタ装置は上記告知放送受信機の個別アドレスと当該告知放送受信機が属するグループのアドレスとを対応させて記憶したグループ情報記憶部と、該グループ情報記憶部に記憶されている個別アドレス及びグループのアドレスを対応させたグループ設定データを生成するセンタ制御部と、該センタ制御部で生成されたグループ設定データ及び上記告知放送を上記告知放送受信機に送信する告知放送送信部とを有し、上記センタ制御部は上記グループ情報記憶部に記憶されている個別アドレス及びグループのアドレスを任意の範囲に渡って選択する選択手段を備え、
上記告知放送受信機は上記グループ設定データ及び告知放送を受信する受信部と、上記グループのアドレスを記憶するグループアドレス記憶部と、上記受信部で受信したグループ設定データに基づいてグループのアドレスを上記グループアドレス記憶部に記憶させる受信機制御部とを有してなることを特徴として構成されている。
【０００７】
また、本発明に係る告知放送システムは、上記センタ制御部は上記選択手段で選択された範囲が複数ある場合、上記グループ設定データを複数生成すると共に、生成した各グループ設定データを上記告知放送の送信終了時から次の告知放送の送信開始時まで上記告知放送送信部から順次送信することを特徴として構成されている。
【０００８】
さらに、本発明に係る告知放送システムは、上記センタ制御部は計時設定可能なタイマ回路を有し、該タイマ回路により設定された時間の経過時に上記グループ設定データを上記告知放送送信部から送信することを特徴として構成されている。
【０００９】
さらにまた、本発明に係る告知放送システムは、上記センタ装置は上記告知放送送信部から送信されたグループ設定データに含まれた個別アドレスの個数を表示する表示手段を有してなることを特徴として構成されている。
【発明の効果】
【００１０】
本発明に係る告知放送システムによれば、センタ装置はグループ情報記憶部に記憶されている個別アドレス及びグループのアドレスを任意の範囲に渡って選択する選択手段を備えていることにより、個別アドレス及びグループのアドレスの任意の範囲を選択して送信することができるので、送信されるグループ設定データのデータ量を少なくすることができ、所望の告知放送受信機に対するグループ設定を短時間で行うことができる。
【００１１】
また、本発明に係る告知放送システムによれば、センタ制御部はグループ設定データを複数生成し、生成した各グループ設定データを告知放送の送信終了時から次の告知放送の送信開始時まで告知放送送信部から順次送信することにより、告知放送の空き時間を利用して、効率よくグループ設定を行うことができる。
【００１２】
さらにまた、本発明に係る告知放送システムによれば、センタ制御部は計時設定可能なタイマ回路を有し、タイマ回路により設定された時間の経過時にグループ設定データを告知放送送信部から送信することにより、管理者によりグループ設定データの送信時を予め告知放送の行われない時間帯等に設定することができる。
【００１３】
そして、本発明に係る告知放送システムによれば、センタ装置は告知放送送信部から送信されたグループ設定データに含まれた個別アドレスの個数を表示する表示手段を有してなることにより、告知放送受信機に対してグループ設定が終了した際にシステム全体で接続されている告知放送受信機の数を確認することができ、システム管理を容易にすることができる。
【発明を実施するための最良の形態】
【００１４】
本発明の実施形態について図面に添って詳細に説明する。図１は本実施形態における告知放送システムの構成を示すブロック図である。まず、本実施形態におけるシステム構成について説明する。１は信号線としての伝送線路であり、この実施例にあってはＣＡＴＶシステムの同軸ケーブルを利用しており、このためセンタ側にはヘッドエンド２が設けられ、ヘッドエンド２よりテレビ信号を端末側に伝送している。伝送線路１上には、伝送信号を増幅するために適宜、伝送信号増幅器２９が設けられている。ヘッドエンド２側となるセンタ側にはセンタ装置３が設けられ、伝送線路１の端末側には分岐器１５の分岐端子を介して複数の告知放送受信機１６、１６が接続される。
【００１５】
センタ装置３はデータ処理及びデータ伝送制御を行う制御部４と、各告知放送受信機１６に告知放送を送信する告知放送送信部１２とから構成される。制御部４には放送信号の設定入力を行うディスプレイ９、プリンタ１０及び操作部１１等が接続される。制御部４はマイク１３やＢＧＭ源３３による音声信号を告知放送送信部１２に送信し、この音声信号は告知放送送信部１２でＦＭ変調される。告知放送送信部１２からの出力はヘッドエンド２を介して伝送線路１に与えられる。ここで、制御部４はマイク１３やＢＧＭ源３３による音声信号の他、テープレコーダ等による音響装置からの放送信号を送信することもできる。あるいは、操作部１１から入力されディスプレイ９に表示される文字データを符号化して放送信号として送出することもできる。さらに、ディスプレイ９を介して入力される映像によるイメージデータに適当な符号化を施して放送信号として送信することもできる。
【００１６】
制御部４から送信される告知放送には、告知放送受信機１６のスピーカにて放送される音声情報と、告知放送の種類及び告知放送の対象となる端末情報からなる種別データや放送開始／終了データなどの制御情報が含まれる。このとき、告知放送の送信開始もしくは放送終了時刻をカレンダー回路３７から読み出し告知放送の音声情報の最初もしくは最後の音声にて送信する。放送時刻は音声ではなく、データとして送ってもよい。なお、このカレンダー回路３７は告知放送受信機１６側に備えることとしてもよい。
【００１７】
種別データ等の制御情報の設定は操作部１１の操作により行われ、まず送信する告知放送が緊急告知放送であるか一般告知放送であるかを設定する。次に、告知放送の対象となる端末装置のアドレス指定を行う。アドレス指定には、全加入端末を放送対象とする全端末指定や、サービス地域やマンション等のグループ単位でブロック分けされるグループ指定、及び加入端末を個別に指定する個別指定とがある。
【００１８】
また、制御部４には各種情報を記憶するメモリ４０が接続されている。メモリ４０には告知放送受信機１６の個別アドレスと当該告知放送受信機が属するグループのアドレスとを対応させてテーブル化したグループ情報データが記憶される。グループ情報データは上述のグループ放送を行うためのグループ設定に用いられる。告知放送受信機１６に対するグループ設定については後に詳述する。
【００１９】
また、制御部４は一般電話回路網５０にも接続されており、一般家庭電話、携帯電話等の電話機５１から放送日時、告知内容、放送グループ等を事前に登録することによって、指定した時間に自動的に告知放送を行うことができる。
【００２０】
次に伝送線路１の端末に設けられる告知放送受信機１６について説明する。図２に告知放送受信機１６のブロック図を示す。この図に示すように、告知放送受信機１６はセンタ装置３から送信された告知放送を受信復調する受信部２２と、この復調した告知放送に含まれる制御情報に基づき制御する受信機制御部１７が設けられる。
【００２１】
受信機制御部１７には各種情報を記憶するメモリ３９が接続されており、メモリ３９には告知放送受信機１６毎に固有の個別アドレスと、自機が属するグループに対応するグループアドレスと、受信部２２にて復調された制御情報とが記憶される。
【００２２】
告知放送受信機１６は、受信部２２で復調された音声情報の出力手段として、音声情報を増幅する音声アンプ２４と、スピーカ２５を有し、音声アンプ２４の前段にはスピーカ２５からの音量を調整するための音量調整部２８が備えられる。また、告知放送受信機１６は、受信した告知放送の音声情報を記憶する音声メモリ３１と、音声メモリ３１に告知放送を記憶させる録音手段３０とを有している。録音手段３０は受信部２２から出力される告知放送の音声情報を録音データに変換して音声メモリ３１に記憶させる録音処理を行う。
【００２３】
センタ装置３からの告知放送は全加入端末に送信される。そして、告知放送受信機１６の受信機制御部１７は告知放送の制御情報に指定された端末アドレスがメモリ３９に記憶されている個別アドレス又はグループアドレスと一致する場合に自端末が放送対象であると判断し、出力手段に音声情報出力の指令信号を出力すると共に録音手段３０に録音動作の指令信号を出力する。ここで受信部２２にて復調されメモリ３９に記憶される制御情報には、音声メモリ３１に記憶される音声情報との対応が保持され、告知放送の再生、録音、消去に使用される。
【００２４】
また、受信機制御部１７には告知放送の出力を切り替える音声切替部３６が接続されている。音声切替部３６は受信機制御部１７により制御されて、受信部２２で受信した告知放送の出力と音声メモリ３１に記憶されている告知放送の再生出力とを切り替えることができる。さらに、受信機制御部１７には音声メモリ３１における告知放送の録音状態を知らせるための告知ランプが接続されている。告知ランプは緊急告知放送用の緊急告知ランプ３５と一般告知放送用の一般告知ランプ３４が備えられている。また、受信機制御部１７には、音声メモリ３１に記憶された告知放送の音声情報を再生出力させるための再生スイッチ３８が接続されている。
【００２５】
一般告知ランプ３４もしくは緊急告知ランプ３５は告知放送の録音中は点灯し、告知放送の録音が終了すると点滅状態に切り替えられる。そして、録音された告知放送を再生するための再生スイッチ３８が押された場合に消灯する。したがって、一般告知ランプ３４もしくは緊急告知ランプ３５は、告知放送の受信録音が再生スイッチ３８の操作で確認されない限り点滅状態を保つため、端末利用者が留守の間に告知放送があった場合でも、告知放送があったことを容易に知ることができる。
【００２６】
録音されている告知放送を再生させる再生スイッチ３８が押されると、再生手段である受信機制御部１７は音声メモリ３１に記憶された告知放送をその重要度の高い順に選択し、スピーカ２５から再生する。すなわち端末利用者は、重要な緊急告知放送等から聞くことができるので、未確認の告知放送を確認するための時間を長くとれない場合等に便利である。
【００２７】
次にグループ放送を行うためのグループ設定について説明する。グループアドレスの設定は告知放送送信部１２からグループ設定データを各告知放送受信機１６に対して送信することによって行う。グループ設定データは告知放送と同様のフォーマットから構成され、制御情報によりデータの種類を告知放送かグループ設定データのどちらかに設定することができる。告知放送受信機１６は、受信したデータが告知放送の場合には上述の告知放送処理を行い、グループ設定データの場合にはグループ設定処理を行う。
【００２８】
グループ設定データは、告知放送受信機１６の個別アドレスと、当該個別アドレスの属するグループのアドレスとを対応させて構成される。個別アドレスとグループアドレスを対応させたデータは、予め別のコンピュータ等を用いて作成しておき、それを記憶した記録媒体によってセンタ装置３に入力する。ただし、センタ装置３の操作部１１及びディスプレイ９を用いて直接入力するようにしてもよい。
【００２９】
個別アドレス及びグループのアドレスがセンタ装置３に入力されると、制御部４はメモリ４０にそれらを対応させて記憶させる。システム全体の初期設定として全ての告知放送受信機１６についてグループ設定処理を行う際には、制御部４はメモリ４０から個別アドレス及びグループのアドレスを全て取得し、これに基づいてグループ設定データを生成する。
【００３０】
新たに告知放送受信機１６を追加したときや、特定の告知放送受信機だけデータを受け取ることができなかったとき、及びデータが届かなかった恐れがあるときなど特定の告知放送受信機または特定のグループのみグループ設定を行いたい場合には、制御部４の選択手段４ａにより、メモリ４０に記憶された個別アドレス及びグループのアドレスのうち、任意の範囲を選択した上でグループ設定データを生成する。選択手段４ａは、ディスプレイ９に個別アドレス及びグループアドレスを対応させて表示させ、操作部１１により選択された個別アドレス及びグループアドレスを取得する。図３には、ディスプレイ９の表示例を示している。
【００３１】
図３に示すように、ディスプレイ９にはグループ番号とグループ名称、及びそのグループに属する個別アドレスが表示される。操作部１１により画面上でグループを選択することができる。選択されたグループは、画面左のチェックボックスにチェックが入ったように表示される。ただし、表示の仕方はどのようなものであってもよく、例えば選択されたグループを反転表示するようにしてもよい。
【００３２】
また、図３ではグループ単位で範囲指定できるようにしているが、告知放送受信機１６毎に範囲指定できるようにしてもよい。この場合には、ディスプレイ９に個別アドレスとそれに対応するグループアドレスをテーブルとして表示し、操作部１１によって任意の範囲について選択を行うようにすることができる。
【００３３】
選択手段４ａにより取得された個別アドレス及びグループアドレスは、制御部４でグループ設定データとして生成され、告知放送送信部１２から告知放送受信機１６に送信される。このように、制御部４で生成されるグループ設定データは、選択手段４ａで選択された範囲とすることで、送信されるデータを少なくすることができる。したがって、１回の送信による設定を短時間で行うことができる。
【００３４】
また、選択手段４ａで複数の範囲が選択された場合、制御部４はそれぞれについてグループ設定データを生成し、それらのグループ設定データを告知放送送信部１２から順次送信する。ここで、グループ設定データの送信は、告知放送の空き時間を利用することで効率よく行うことができる。このために制御部４は、告知放送が終了した後であって、次の告知放送が開始されるまでの間にグループ設定データを告知放送送信部１２に送信させる。告知放送の空き時間を利用してグループ設定データを送信するのは、選択手段４ａで複数の範囲が選択された場合に限られず、１つの範囲が選択された場合にも同様にして送信することができる。
【００３５】
さらに、制御部４に対してグループ設定データの送信日時を予め設定することもできる。送信日時の設定は、ディスプレイ９及び操作部１１を用いて行われ、制御部４はカレンダー回路３７からの入力から設定日時であることを検出すると、グループ設定データを告知放送送信部１２に送信させる。これによって、管理者によりグループ設定データの送信時を予め告知放送の行われない時間帯等に設定することができる
【００３６】
告知放送やグループ設定データを送信する際には、制御部４により各種情報がディスプレイ９に表示される。ここで、グループ設定データを送信する際には、制御部４は告知放送送信部１２に送信させたグループ設定データに含まれる個別アドレスの個数をカウントしてディスプレイ９に表示させる。これによって、グループアドレスを設定しようとする告知放送受信機１６の数と、実際にグループ設定データとして送信された告知放送受信機１６の個別アドレスの数とが、一致するかどうかを管理者が容易に把握することができる。
【００３７】
以上、本発明の実施形態について説明したが、本発明の適用はこれら実施形態には限られず、その技術的思想の範囲内において様々に適用されうるものである。
【図面の簡単な説明】
【００３８】
【図１】本実施形態における告知放送システムの構成を示すブロック図である。
【図２】告知放送受信機の構成を示すブロック図である。
【図３】アドレス選択の際のディスプレイの表示例である。
【符号の説明】
【００３９】
１    伝送線路
３    センタ装置
４    制御部
４ａ  選択手段
１２    告知放送送信部
１６    告知放送受信機
１７    受信機制御部
２２    受信部
３０    録音手段
３１    音声メモリ
３９    メモリ
４０    メモリ
【図１】
2006319688.tif 000003
【図２】
2006319688.tif 000004
【図３】
2006319688.tif 000005